(57)【要約】【課題】透明または半透明な材料を用いたキートップであっても側面から文字や記号が見えることがなく文字や記号の余分な繋がりや、重複して見えることがなく判別が容易になる電子機器及びキートップを提供する。【解決手段】電子機器は、筐体と、上面と底面と側面を有し前記上面と前記側面の一部が前記筐体の表面から外部へ突出していると共に透明または半透明な材料で成形されたキートップと、前記キートップの少なくとも前記上面から視認される記号部とを備え、前記キートップの側面は、前記記号部が見え難くなる加工が施されている。【選択図】図６
2013016343.tif 000002
【特許請求の範囲】
【請求項１】
筐体と、
上面と底面と側面を有し前記上面と前記側面の一部が前記筐体の表面から外部へ突出していると共に透明または半透明な材料で成形されたキートップと、
前記キートップの少なくとも前記上面から視認される記号部とを備え、
前記キートップの側面は、前記記号部が見え難くなる加工が施された電子機器。
【請求項２】
前記キートップの側面のうちで少なくとも前記記号部に正対したとき下方向に位置する側面が、前記記号部が見え難くなる加工が施された請求項１に記載された電子機器。
【請求項３】
前記キートップの前記底面は、文字または記号が印刷された請求項１に記載された電子機器。
【請求項４】
前記キートップの前記底面は、文字または記号が印刷されたシートが貼着された請求項１に記載された電子機器。
【請求項５】
前記キートップの前記底面と対向する上側面が前記キートップの前記底面の少なくとも一部と当接し、前記上側面の反対側の下側面に接点部を有するスイッチ部材を有し、
前記スイッチ部材の前記上側面は、文字または記号が印刷された請求項１に記載された電子機器。
【請求項６】
前記キートップの側面は、シボ加工された請求項１に記載された電子機器。
【請求項７】
前記キートップの側面は、塗装された請求項１に記載された電子機器。
【請求項８】
前記キートップの側面は、シールを貼着された請求項１に記載された電子機器。
【請求項９】
電子機器の筐体の外面に形成された開口部に設けられ、利用者の指等が触れる部分に設けられた押し釦スイッチのキートップであって、
上面と底面と側面を有し前記上面と前記側面の一部が前記筐体の表面から外部へ突出していると共に透明または半透明な材料で成形され、前記側面は前記底面に配設された記号部が見え難くなる加工が施されたたキートップ。
【請求項１０】
前記底面は、文字または記号が印刷された請求項９に記載されたキートップ。
【請求項１１】
前記底面は、文字または記号が印刷されたシートが貼着された請求項９に記載されたキートップ。
【請求項１２】
前記側面は、シボ加工された請求項９に記載されたキートップ。
【請求項１３】
前記側面は、塗装された請求項９に記載されたキートップ。
【請求項１４】
前記側面は、シールを貼着された請求項９に記載されたキートップ。
【発明の詳細な説明】
【技術分野】
【０００１】
本発明の実施形態は、電子機器及びキートップに関する。
【背景技術】
【０００２】
映像機器や携帯端末等の電子機器には種々の押し釦スイッチが利用者の操作性を考慮して設けられている。押し釦スイッチは、電子機器やリモコンの筐体の外面に形成された開口部から、人の指等が触れる操作釦のカバー部（キートップ）を露出させる構成となっている。
【先行技術文献】
【特許文献】
【０００３】
【特許文献１】特開２００７−２６７７０号公報
【発明の概要】
【発明が解決しようとする課題】
【０００４】
押し釦スイッチを搭載する電子機器の外観のデザイン性の向上やキートップ表面の文字や記号の削剥を防止することを目的として、キートップを透明または半透明な材料で成型し、キートップの下側に文字や記号を配置した操作釦を有する電子機器がある。この場合には、利用者は、キートップの下側に配置された文字や記号を、キートップを通して見ることになる。
【０００５】
図８は、従来の押し釦スイッチ用のキートップを用いたテレビ用のリモコンの部分斜視図である。図８に示すように、キートップ９０、９１、９２、９３の一部分が筐体９４の外面から突出している。キートップ９０、９１、９２、９３は透明または半透明な材料で成型されている。キートップ９０、９１、９２、９３の上面９０ａ、９１ａ、９２ａ、９３ａからキートップの下側に配置された文字や記号が見える。キートップ９０、９１、９２、９３の側面９０ｃ、９１ｃ、９２ｃ、９３ｃからも内部が見える。
【０００６】
キートップ９０、９１、９２、９３の下側に配置された文字や記号が側面９０ｃ、９１ｃ、９２ｃ、９３ｃからも見えることにより、キートップの上面から見える文字や記号と繋がったり、重複して見えてしまい、その内容を判別しにくい問題が有った。
【０００７】
本発明の目的は、上記したような事情に鑑み成されたものであって、透明または半透明な材料を用いたキートップであっても側面から文字や記号が見えることがなく文字や記号の余分な繋がりや、重複して見えることがなく判別が容易になる電子機器及びキートップを提供することである。
【課題を解決するための手段】
【０００８】
上記目的を達成するために、実施形態によれば、電子機器は、筐体と、上面と底面と側面を有し前記上面と前記側面の一部が前記筐体の表面から外部へ突出していると共に透明または半透明な材料で成形されたキートップと、前記キートップの少なくとも前記上面から視認される記号部とを備え、前記キートップの側面は、前記記号部が見え難くなる加工が施されている。
【図面の簡単な説明】
【０００９】
【図１】実施形態の一例であるテレビ用のリモコンの概観平面図。
【図２】実施形態の一例であるテレビ用のリモコンの部分断面図。
【図３】実施形態の一例であるテレビ用のリモコンの他の接点構造を示す部分断面図。
【図４】実施形態のキートップの概観斜視図。
【図５】キートップの側面からキートップの底面に配設された記号部が見えなくなる状態を説明する図。
【図６】実施形態の一例であるテレビ用のリモコンの部分斜視図。
【図７】実施形態の一例であるテレビ用のリモコンのキートップの他の断面構造を示す部分断面図。
【図８】従来のキートップを用いたテレビ用のリモコンの部分斜視図。
【発明を実施するための形態】
【００１０】
以下実施形態について図面を参照しながら説明する。図１は、実施形態の一例であるテレビ用のリモコンの概観平面図である。リモコン１は赤外線あるいはBluetooth（登録商標）等による無線通信を利用して、図示しないテレビのリモコン信号の受信部へ操作信号を送る装置である。尚、実施形態の押し釦スイッチは、テレビ用のリモコン１だけでなく、他の電子機器のリモコンや映像機器、携帯端末等の電子機器の操作パネルに広く用いられる。
【００１１】
リモコン１は、筐体２の外面に形成された開口部から押し釦スイッチの人の指等が触れる操作釦の操作部またはカバー部（キートップ）を露出させる構成となっている。押し釦スイッチは操作目的或いは機能毎に設けられているため、複数のキートップが操作性を考慮して配置されている。
【００１２】
電源釦３は、テレビの電源をオンまたはオフする押し釦スイッチである。入力切換釦４はテレビの外部入力端子に接続された映像音響機器から映像信号を入力するときに操作する押し釦スイッチである。放送波選択釦５は、受信する放送波の種類を選択する押し釦スイッチである。選局釦６は、放送のチャンネル番号を直接選択する押し釦スイッチであり、選局釦６ａ〜６ｌに１から１２までの番号が振られた釦である。チャネル送り釦７は、チャネル番号を順送りまたは逆送りで選局する押し釦スイッチであり、選局釦６と同様にチャネルを選局するときに用いられる。音量調整釦８は、番組を視聴するときのテレビのスピーカの音量を調整する押し釦スイッチである。
【００１３】
カーソル釦９はテレビの画面に表示された各種の情報ウィンドウ内のカーソルの移動や各種の選択項目の選択や移動を行うための押し釦スイッチである。カーソル釦９は十字釦、方向指示釦とも呼ばれる。左方向カーソル釦９ａはカーソルを左方向に移動させるときに用いる釦である。右方向カーソル釦９ｂ、上方向カーソル釦９ｃ、下方向カーソル釦９ｄはそれぞれカーソルを右方向、上方向、下方向に移動させるときに用いる。決定釦１０は、カーソル釦９ａ〜９ｄで移動した先の位置または画面上の表示釦を実行するときに用いられる。
【００１４】
番組表釦１１は、番組表をテレビの画面に表示するときに操作する専用の押し釦スイッチである。メニュー釦１２は、テレビに用意された各種の設定メニューを表示するときに押下する押し釦スイッチである。戻る釦１３は一つ前の操作段階の画面へ戻るときに使う押し釦スイッチである。終了釦１４は、一連の操作を終了するときに用いられる。
【００１５】
４色の色釦１５は、左から青釦１５ａ、赤釦１５ｂ、緑釦１５ｃ、黄釦１５ｄの順に配置されている。テレビの画面上に色により区別された項目や色による選択の表示があるときに用いられる。記録装置操作釦１６は、テレビに搭載或いは接続された記録再生装置に記録された番組を再生する際に、再生、停止、一時停止、早送り再生、早戻し再生、次番組スキップ、先頭戻り・前番組スキップするための押し釦スイッチである。
画面表示釦１７は、現在視聴しているチャンネルや番組の情報を表示するときに操作する釦である。録画番組釦１８は、記録再生装置に記録された番組の番組表を表示させるときに操作する押し釦スイッチである。
【００１６】
図２は、実施形態の一例であるテレビ用のリモコンの部分断面図である。図１におけるＡＡ断面の例を示しており、押し釦スイッチ６ｇ、６ｊ、７の断面図を表す。リモコン１の押し釦スイッチ７を例にとって説明する。他の押し釦スイッチについても構成は同様である。押し釦スイッチ７は筐体２の上カバー２０、下カバー２１、基板２２、スイッチ部材２３、キートップ２４等から構成されている。
【００１７】
下カバー２１に基板２２が収められ、基板２２上にキートップ２４が固着されたスイッチ部材２３が配置され、上カバー２０がキートップ２４の一部を上側から挟み込む構成となっている。下カバー２２にはリブ状または突起状の基板支持部２５が複数設置されており、基板２２の下面２２ｂは基板支持部２５によって支持されている。
【００１８】
スイッチ部材２３の下側面２３ｂには、凹部２６が設けられ、凹部２６の中に突起部２７が設けられている。突起部２７の基板２２に対向する先端部には接点部２８が設けられている。接点部２８に対向する基板２２の上面２２ａには、接点部２８に対向する位置に固定電極対２９が設けられている。スイッチ部材２３の上側面２３ａには、凸部３０が設けられ、凸部３０の上側面３１には、キートップ２４の底面２４ｂが接着されている。
【００１９】
キートップ２４は、上面２４ａ、底面２４ｂ、側面２４ｃを有しており、上面２４ａは利用者の指等が接触する部分である。上面２４ａと側面２４ｃの一部は、筐体２の上カバー２０の開口部３３から外部方向に露出している。側面２４ｃの底面２４ｂ近傍にはフランジ部２４ｄが設けられており、フランジ部２４ｄが上カバー２０の開口部３３近傍の下側面に当接し、キートップ２４が上カバー２０から抜けないようになっている。
【００２０】
利用者がキートップ２４の矢印Ｂ近傍を指等で押下すると、スイッチ部材２３のスプリング部３２が撓み、スイッチ部材２３の接点部２８が、基板２２の固定電極対２９に当接して、電極対２９の電極同士が導通し、スイッチ動作が為される。利用者が押圧力を小さくしたり開放したりすると、スプリング部３２の反発力によってキートップ２４は元に位置に復元する。
【００２１】
図３は、実施形態の一例であるテレビ用のリモコンの他の接点構造を示す部分断面図である。接点部２８と電極対２９による接点部構造は、図３に示すようなドーム状の接点を介す押し釦スイッチもあり、特定するものではない。例えば、メタルドーム３５は、ドーム状の形状をした導体部品でありスイッチ部材２３の突起部２７によってドームの頭頂部が押下されるとドームの頭頂部内側にある小突起が基板２２の電極対２９の一部と接触することによって、電極対２９の電極同士が導通するようになっている。
【００２２】
図２において、キートップ２４はプラスチックの成形品であり、ポリメチルメタクリレートやポリカーボネート等の透明な材料や半透明な材料を用いて成形されている。キートップ２４の底面２４ｂに文字または記号が印刷されたり、底面２４ｂに文字または記号が印刷されたシートが貼着されたり、または、スイッチ部材２３の凸部３０の上側面３１に文字または記号が印刷されている。外部からキートップ２４を透過して文字や記号が見えるようになっている。この文字や記号が表示された部分を記号部と称する。記号部はキートップ２４の少なくとも上面２４ａから視認できる。
【００２３】
一方、キートップ２４の側面２４ｃは、シボ加工或いはブラスト加工が施されている。この加工によってキートップ２４の底面２４ｂやスイッチ部材２３の凸部３０の上側面３１に配設された記号部が側面２４ｃから見え難くなったり、または、見えないようになっている。シボ加工は、成形後のキートップに施す方法でも、予め成形金型の該当部分にシボ加工用の処理が施された成形金型を用いて成形しても良い。シボ加工或いはブラスト加工は、側面２４ｃの少なくとも上カバー２０から突出した部分に施される必要がある。
【００２４】
また、シボ加工やブラスト加工以外に、側面２４ｃに塗装を施してもよい。或いは、側面２４ｃにシールを貼着してもよい。塗装やシールを貼着することによっても側面２４ｃからキートップ２４の内側を見え難くしたり、または、見えなくすることができるため、キートップ２４の下部に配設された記号部を見え難くしたり、または、見えなくすることができる。キートップ２４の下部に配設された記号部はキートップ２４の上面２４ａだけから見えることになる。
【００２５】
側面２４ｃは透明な状態ではないため側面２４ｃからは内部に配置された記号部が見えず、見えるのは上部からだけになる。このため、記号部の文字や記号の繋がりや、重複して見えてしまうことはなくなり、判別が容易になると共に、高級感のあるキートップとすることができる。
【００２６】
図４は、実施形態のキートップ２４の概観斜視図である。キートップ２４は、略直方体形状であり、上面２４ａ、底面２４ｂ、側面２４ｃ、フランジ部２４ｄから構成されている。側面２４ｃにシボ加工、ブラスト加工、塗装、シール貼着等（図４の斜線部）が施されている。フランジ部２４ｄは、シボ加工、ブラスト加工、塗装、シール貼着等が施されていなくてもよい。なお、キートップの形状は直方体形状に限るものではなく、円柱形状であったり、様々な形状があり得ることは言うまでもない。
【００２７】
図５は、キートップ２４の側面２４ｃからキートップ２４の底面に配設された記号部が見えなくなる状態を説明する図である。図５において、キートップ２４の底面２４ｂに印刷された記号部３６からの反射光が利用者の目Ｃへ届く光の経路は、上面２４ａを通過する光の経路Ｄだけになり、側面２４ｃを通過する光の経路Ｅは側面２４ｃにて遮断される。このため、文字や記号の異様な繋がりや、重複して見えてしまうことが無い。
【００２８】
図６は、実施形態の一例であるテレビ用のリモコン１の部分斜視図である。図６に示すように、キートップ２４、３７、３８、３９の上面２４ａ、３７ａ、３８ａ、３９ａと側面２４ｃ、３７ｃ、３８ｃ、３９ｃの一部分が筐体２の上カバー２０から外面から突出している。
【００２９】
キートップの図示しない底面２４ｂ、３７ｂ、３８ｂ、３９ｂには文字や記号が印刷されている。底面２４ｂには「∧」、「チャンネル」、「∨」、底面３７ｂには、「＋」、「音量」、「−」、底面３８ｂには「画面表示」、底面３９ｂには「録画番組」の文字や記号が印刷されている。尚、印刷以外にも、文字や記号が印刷されたシートを貼着するようにしてもよい。
【００３０】
キートップ２４、３７、３８、３９は透明または半透明な材料で成型されており、キートップの上面２４ａ、３７ａ、３８ａ、３９ａからキートップの底面２４ｂ、３７ｂ、３８ｂ、３９ｂに印刷された記号部が見える。
【００３１】
キートップの側面の側面２４ｃ、３７ｃ、３８ｃ、３９ｃは、シボ加工されているためにキートップの内側が見え難くなっており、側面２４ｃ、３７ｃ、３８ｃ、３９ｃから底面２４ｂ、３７ｂ、３８ｂ、３９ｂに印刷された記号部は見えない。このため、文字や記号の繋がりや、重複して見えてしまうことはない。
【００３２】
キートップの側面のうちで少なくとも記号部に正対したとき下方向に位置する側面が、記号部を見え難くなる加工が施されていることが望まれる。利用者がリモコン１を、記号部の文字や記号に正対するように保持した状態（図１のように見える状態）において、キートップの側面２４ｃ、３７ｃ、３８ｃ、３９ｃのうち少なくとも下方向に位置する側面（利用者に対向する側面）２４ｃ１、３７ｃ１、３８ｃ１、３９ｃ１は記号部が見え難くなる加工が施されていることが望ましい。利用者がリモコン１を普通に持ったときに、利用者はリモコン１を下斜め方向から見ることになり、少なくとも利用者側に対向する側の側面２４ｃ１、３７ｃ１、３８ｃ１、３９ｃ１から記号が見え難くするようにすることが臨まれる。
【００３３】
キートップの側面２４ｃ、３７ｃ、３８ｃ、３９ｃは、シボ加工以外にも、ブラスト加工、塗装、シールの貼着によっても同様にキートップの内側を見え難くしたり、見えなくすることができる。
【００３４】
図７は、実施形態の押し釦スイッチのキートップの他の断面構造を示す部分断面図である。図７に示すキートップ４０は、キートップ４０の内部に凹部４０ｅが設けられている。凹部４０ｅを設けることによって、成型材料を削減することができ、また成型時のひけを防止することができる。底面４０ｂは面積が少ないので文字や記号を印刷するには不向きである。スイッチ部材２３の凸部３０の上側面３１に文字または記号を印刷して、キートップ４０を透過して文字や記号が見えるようになっている。なお、凹部４０ｅの内側面４０ｆに文字や記号を印刷することもできる。
【００３５】
この構造の場合に、キートップ４０の側面４０ｃをシボ加工することによりキートップの内側を見え難くすることができる。また凹部４０ｅ側の内側面４０ｇをシボ加工することによってもキートップの内側を見え難くすることができる。また、シボ加工以外にも、ブラスト加工、塗装、シールの貼着によっても同様にキートップの内側を見え難くしたり、見えなくすることができる。
【００３６】
以上のように、キートップ２４を透明な材料や半透明な材料を用いて成形し、キートップ２４の底面２４ｂに文字または記号を印刷したり、底面２４ｂに文字または記号が印刷されたシートを貼着したり、または、スイッチ部材２３の凸部３０の上側面３１に文字または記号を印刷して、外部からキートップ２４を透過して記号部が見えるようにし、キートップ２４の側面２４ｃは、シボ加工、ブラスト加工、塗装或いはシールの貼着によって側面２４ｃから内部の記号部が見え難い状態、または、見えない状態とすることによって、文字や記号の異様な繋がりや、重複して見えてしまうことはなくなり、判別が容易になると共に、高級感のある電子機器及びキートップとすることができる。
【００３７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００３８】
１  リモコン
２  筐体
６、６ｇ、６ｊ  選局釦
７  チャネル送り釦
８  音量調整釦
１７  画面表示釦
１８  録画番組釦
２０  上カバー
２１  下カバー
２２  基板
２３  スイッチ部材
２４  キートップ
２４ａ  上面
２４ｂ  底面
２４ｃ  側面
２４ｄ  フランジ部
２５  基板支持部
２６  凹部
２７  突起部
２８  接点部
２９  固定電極対
３０  凸部
３１  上側面
３２  スプリング部
３３  開口部
３５  メタルドーム
３６  記号部
３７  キートップ
３７ａ  上面
３７ｂ  底面
３７ｃ  側面
３８  キートップ
３８ａ  上面
３８ｂ  底面
３８ｃ  側面
３９  キートップ
３９ａ  上面
３９ｂ  底面
３９ｃ  側面
４０  キートップ
【図１】
2013016343.tif 000003
【図２】
2013016343.tif 000004
【図３】
2013016343.tif 000005
【図４】
2013016343.tif 000006
【図５】
2013016343.tif 000007
【図６】
2013016343.tif 000008
【図７】
2013016343.tif 000009
【図８】
2013016343.tif 000010